(57)【特許請求の範囲】
【請求項１】
流体輸送用ヘリカルパイプを形成する、巻回可能な複合ストリップであって、
ベース部分を備えた細長いプラスチックストリップを有し、前記ベース部分は、内面を構成する下面および外面を構成する上面を備え、
前記ベース部分の外面から直立して縦方向に延びている少なくとも１つのリブ部分を有し、前記リブ部分は、前記ベース部分から離れている遠位端を備え、
前記ベース部分内または前記ベース部分に隣接して配置された細長いインボード補強部材と、
前記インボード補強部材と平行にリブ部分の遠位端内に配置された細長いアウトボード補強部材と、
前記インボード補強部材とアウトボード補強部材との間に延びている細長い中間プラスチックウェブ部分とを有し、前記ウェブ部分は、前記インボード補強部材およびアウトボード補強部材と一緒に複合リブ部分を形成し、
巻回してヘリカルパイプにしたときに、前記複合リブ部分が半径方向圧壊荷重に対してパイプを補強する、
ことを特徴とする複合ストリップ。
【請求項２】
前記アウトボード補強部材は、前記プラスチックストリップのヤング係数より大きいヤング係数を有する材料から構成され、前記インボード補強部材は、前記プラスチックストリップのヤング係数より大きいヤング係数を有する材料から構成されている、請求項１に記載の複合ストリップ。
【請求項３】
前記インボード補強部材およびアウトボード補強部材は、完全に封入されている、請求項１に記載の複合ストリップ。
【請求項４】
前記補強部材はストランデッドフィラメントまたは非ストランデッドフィラメントである、請求項１または３に記載の複合ストリップ。
【請求項５】
前記補強部材はワイヤである、請求項４に記載の複合ストリップ。
【請求項６】
前記ベース部分の外面から直立して縦方向に延びている複数の複合リブ部分を有している、請求項１に記載の複合ストリップ。
【請求項７】
前記複合ストリップの両エッジに連結形態を有し、前記連結形態は、前記ストリップがヘリカル経路に巻回され且つ前記ストリップの隣接するエッジ部分が互いにオーバーラップするとき、噛み合うようになっている、請求項１に記載の複合ストリップ。
【請求項８】
各複合リブ部分について、前記ストリップの内面から前記複合リブ部分の遠位端まで上方に向かって測定した距離は、前記ストリップの内面から前記連結形態の頂点まで上方に向かって測定した距離を超えない、請求項７に記載の複合ストリップ。
【請求項９】
前記ベースに対して垂直に前記リブ部分を２等分する平面のそれぞれ第１側および第２側に横方向にオフセットして配置された、前記リブ部分の遠位端内に配置された第１および第２の細長いアウトボード補強部材を有している、請求項１に記載の複合ストリップ。
【請求項１０】
流体輸送用ヘリカルパイプを形成する、巻回可能な複合ストリップであって、
ベース部分を備えた細長いプラスチックストリップを有し、前記ベース部分は、内面を構成する下面および外面を構成する上面を備え、
前記ベース部分の外面から直立して縦方向に延びている少なくとも１つのリブ部分を有し、前記リブ部分は、前記ベース部分から離れている遠位端を備え、
前記ベース部分内または前記ベース部分に隣接して配置された細長いインボード補強部材と、
前記インボード補強部材と平行に前記リブ部分の遠位端内に配置され且つ前記ベースに対して垂直に前記リブ部分を２等分する平面のそれぞれ第１側および第２側に横方向にオフセットして配置された第１および第２の細長いアウトボード補強部材と、
前記インボード補強部材とアウトボード補強部材との間に延びている細長い中間プラスチックウェブ部分とを有し、前記ウェブ部分は、前記インボード補強部材およびアウトボード補強部材と一緒に複合リブ部分を形成し、
巻回してヘリカルパイプにしたときに、前記複合リブ部分が半径方向圧壊荷重に対して前記パイプを補強する、
ことを特徴とする複合ストリップ。
【請求項１１】
前記アウトボード補強部材は、前記プラスチックストリップのヤング係数より大きいヤング係数を有する材料から構成され、前記インボード補強部材は、前記プラスチックストリップのヤング係数より大きいヤング係数を有する材料で構成されている、請求項１０に記載の複合ストリップ。
【請求項１２】
前記インボード補強部材およびアウトボード補強部材は、完全に封入されている、請求項１０に記載の複合ストリップ。
【請求項１３】
前記補強部材はストランデッドフィラメントまたは非ストランデッドフィラメントである、請求項１０または１２に記載の複合ストリップ。
【請求項１４】
前記補強部材はワイヤである、請求項１３に記載の複合ストリップ。
【請求項１５】
前記ベース部分の外面から直立して縦方向に延びている複数の複合リブ部分を有している、請求項１０に記載の複合ストリップ。
【請求項１６】
前記複合ストリップの両エッジに連結形態を有し、前記連結形態は、前記ストリップがヘリカル経路に巻回され且つ前記ストリップの隣接するエッジ部分が互いにオーバーラップするとき、噛み合うようになっている、請求項１０に記載の複合ストリップ。
【請求項１７】
各複合リブ部分について、前記ストリップの内面から前記複合リブ部分の遠位端まで上方に向かって測定した距離は、前記ストリップの内面から前記連結形態の頂点まで上方に向かって測定した距離を超えない、請求項１６に記載の複合ストリップ。
【請求項１８】
ヘリカルに巻回された複合ストリップからなるパイプであって、
ベース部分を備えた細長いプラスチックストリップを有し、前記ベース部分は、内面を構成する下面および外面を構成する上面を備え、
前記ベース部分の外面から直立して縦方向に延びている少なくとも１つのリブ部分を有し、前記リブ部分は、前記ベース部分から離れている遠位端を備え、
前記ベース部分内または前記ベース部分に隣接して配置された細長いインボード補強部材と、
前記インボード補強部材と平行に前記リブ部分の遠位端内に配置された細長いアウトボード補強部材と、
前記インボード補強部材とアウトボード補強部材との間に延びている細長い中間プラスチックウェブ部分とを有し、前記ウェブ部分は、前記インボード補強部材およびアウトボード補強部材と一緒に複合リブ部分を形成し、
前記複合リブ部分は、半径方向圧壊荷重に対してパイプを補強する、
ことを特徴とするパイプ。
【請求項１９】
前記複合ストリップは、前記ベースに対して垂直に前記リブ部分を２等分する平面のそれぞれ第１側および第２側に横方向にオフセットして配置された、前記リブ部分の遠位端内に配置された第１および第２の細長いアウトボード補強部材を有している、請求項１８に記載のパイプ。
【請求項２０】
パイプを製造する方法であって、
ａ）細長いプラスチックストリップを押出成形する段階を有し、前記ストリップはベース部分を有し、前記ベース部分は内面を構成する下面および外面を構成する上面を備え、前記ストリップは更に、前記ベース部分の外面から直立して縦方向に延びている少なくとも１つのリブ部分を有し、
ｂ）サブ組立複合ストリップを形成するために、前記少なくとも１つのリブ部分に隣接する位置に、下補強部材を前記ストリップのベース部分内に導入する段階と、
ｃ）前記サブ組立複合ストリップを巻いてストリップのスプールにまたはヘリカルに巻回されたパイプにする段階と、
ｄ）組立てられた複合ストリップを形成するために、前記少なくとも１つのリブ部分の頂部内に上補強部材を導入する段階とを有し、
前記下補強部材を導入する段階は、前記押出成形段階中または後であるが前記巻回段階の前に行われ、前記上補強部材を導入する段階は、前記巻回段階中または後に行われる、
ことを特徴とするパイプ製造方法。
【請求項２１】
前記押出成形段階および導入段階ｂ）は、クロスヘッド押出成形ダイ内で一緒に行われる、請求項２０に記載のパイプ製造方法。
【請求項２２】
前記巻回段階ｃ）は、前記サブ組立複合ストリップを巻回してパイプにすることを含む、請求項２０に記載のパイプ製造方法。
【請求項２３】
前記導入段階ｄ）は、前記外側補強部材に張力を付与してパイプにプレストレスを付与することを含む、請求項２０乃至２２のいずれか１項に記載のパイプ製造方法。
【請求項２４】
前記少なくとも１つのリブの頂部内の上補強部材をシールする段階を更に有する、請求項２０に記載のパイプ製造方法。
【請求項２５】
パイプ製造方法であって、
ａ）細長いプラスチックストリップを押出成形する段階を有し、前記ストリップはベース部分を有し、前記ベース部分は内面を構成する下面および外面を構成する上面を備え、前記ストリップは更に、前記ベース部分の外面から直立して縦方向に延びている少なくとも１つのリブ部分を有し、前記リブ部分は、前記ベース部分から離れた遠位端を備え、
ｂ）サブ組立複合ストリップを形成するために、前記少なくとも１つのリブ部分に隣接する位置に、下補強部材を前記ストリップのベース部分内に導入する段階と、
ｃ）前記ベースを横切る軸線の周りに前記複合ストリップを曲げる段階と、
ｄ）組立てられた複合ストリップを形成するために、前記少なくとも１つのリブ部分の遠位端内に上補強部材を導入する段階とを有し、
前記下補強部材を導入する段階は、前記押出成形段階中または後であるが前記曲げ段階の前に行われ、前記上補強部材を導入する段階は、前記曲げ段階中または後に行われる、
ことを特徴とするパイプ製造方法。
【請求項２６】
パイプ製造方法であって、
ａ）細長いプラスチックストリップを押出成形する段階を有し、前記ストリップはベース部分を有し、前記ベース部分は内面を構成する下面および外面を構成する上面を備え、前記ストリップは更に、前記ベース部分の外面から直立して縦方向に延びている少なくとも１つのリブ部分を有し、前記リブ部分は、前記ベース部分から離れた遠位端を備え、
ｂ）前記少なくとも１つのリブ部分に隣接する位置の前記ストリップのベース部分または前記少なくとも１つのリブ部分の遠位端のいずれか一方の中に、第１の補強部材を導入して、サブ組立複合ストリップを形成する段階と、
ｃ）前記ベースを横切る軸線の周りに前記複合ストリップを曲げる段階と、
ｄ）前記少なくとも１つのリブ部分に隣接する位置の前記ストリップのベース部分または前記少なくとも１つのリブ部分の遠位端の他方の中に、第２の補強部材を導入して、組立てられた複合ストリップを形成する段階とを有し、
前記第１の補強部材を導入する段階は、前記押出成形段階中または後に行われ、前記第２の補強部材を導入する段階は、前記曲げ段階中または後に行われる、
ことを特徴とするパイプ製造方法。
【発明の詳細な説明】
【技術分野】
【０００１】
本発明は補強リブ構造の改善に関し、より詳しくは、複合材から作られた、補強すなわち強化ヘリカル巻回パイプ、チューブまたは導管に関する。
【背景技術】
【０００２】
本発明に或る背景を提供する以下の説明は、本発明のより良い理解を容易にすることを意図している。しかしながら、この説明は、言及するいかなる資料が、本願の優先日の時点で、公開され、知られまたは一般的な技術常識の一部であったことを認めるものではないことが理解されるべきである。
【０００３】
プラスチックパイプは、室温でまたはプラスチックがより柔軟になる高温で、ストリップの長手方向に延びている一連の間隔を隔てた直立リブを備えたプラスチックストリップをヘリカルに巻回することにより製造できることが知られている。ヘリカルに巻回したチューブのこの形態はパイプ製造工業界で既に知られており、プラスチックストリップの形態、チューブの形態およびそのようなストリップからパイプあるいはチューブを製造する機械の形態に関する特許において、本件出願人によって記載されている。
【０００４】
高性能用途で使用されるこれらのパイプでは、必要な強度を得るには、プラスチックストリップの壁厚も、リブの壁厚も、充分に大きくなければならない。別の方法として、完成したパイプまたはチューブを、強化すなわち補強部材で補強してもよい。
【０００５】
補強チューブまたはパイプがざん壕内に埋められ、あるいは大きい地圧を受けるような用途では、パイプまたはチューブの強度は極めて重要である。
【０００６】
本件出願人によるオーストラリア国特許第６０７４３１号明細書（特許文献１）は、完成したパイプまたはチューブの撓み抵抗が顕著に増大される態様でリブ間に配置された補強部材を利用する補強プラスチックチューブを製造する方法を開示する。補強部材はＵ形断面の輪郭を有する金属部材からなり、補強部材の自由端は、一対の隣接するリブの対向するフランジ形態の下で係合して、それによって金属ストリップをリブ間の所定位置でロックし、リブおよび完成パイプを補剛するように設計されている。
【０００７】
本件出願人によるオーストラリア国特許第６６１０４７号明細書（特許文献２）は、上記特許文献１の開示の改善を開示する。この改善は、逆Ｕ形または逆Ｖ形断面の中央ボディ部分を備えた補強部材を設けることによりもたらされ、補強部材の中央部分の半径方向高さはリブの高さより大きく、それによって複合パイプの有効外径がかなり大きくなる。これにより、より剛性の大きいパイプが提供される。
【０００８】
本件出願人によるオーストラリア国特許第２００３２２７０９０号明細書（特許文献３）は、上記特許文献２の開示の更なる改善を開示する。この改善は、少なくとも３：１の高さ対厚さ比を有する補強部材を設け、この補強部材をストリップのベースに対して実質的に垂直に向けることによってもたらされる。ストリップの内面は、補強ストリップの下に連続面を形成する。前記補強ストリップを提供することによって、従来技術の補強よりもより効果的な方法で、半径方向圧壊荷重に対してパイプを補強できると同時に、内面が滑らかなパイプ内面を提供し、パイプ内の流体から補強ストリップを分離する。
【０００９】
特許文献３のパイプが商業化される前は、ヘリカル巻回複合パイプは、多段階作業で形成されていた。プラスチックボディを押出成形し、次にヘリカルに巻回してパイプを形成する。細長い鋼補強部材を、別々にロール成形して、所要剛性を付与する輪郭（例えば、前述のＵ形またはＶ形の輪郭）にする。ロール成形された鋼の輪郭を、次に、ヘリカルに巻回されたプラスチックボディの半径に近似する半径に圧延する。最後に、輪郭および半径が付与された１つの補強部材あるいは複数の補強部材を、プラスチックパイプの外面上に巻回し、必要な剛性を有する複合パイプを形成する。
【００１０】
特許文献１および２に開示された補強部材を使用するとき、鋼補強部材をプラスチックパイプの半径に近似する半径に圧延する段階は、鋼補強部材にその弾性限界を超える歪みを付与することを含む。これは、圧延加工中にかなりの力を加えることを必要とする。これに対し、押出成形されたプラスチック形状を巻いてヘリカルパイプにすることは、一般に、プラスチックの材料特性により、殆ど力は不要である。本件出願人による特許文献３の複合形状を使用することにより、あらかじめ成形された鋼とプラスチックとの複合ストリップを、複合形状のスプールから巻回して直接パイプにすることが可能になった。
【先行技術文献】
【特許文献】
【００１１】
【特許文献１】オーストラリア国特許第６０７４３１号明細書
【特許文献２】オーストラリア国特許第６６１０４７号明細書
【特許文献３】オーストラリア国特許第２００３２２７０９０号明細書
【発明の概要】
【発明が解決しようとする課題】
【００１２】
本発明の目的は、前述の特許文献１、２および３に開示された改善を超える或る改善を、ヘリカルに巻回した補強プラスチックチューブまたはパイプに巻くことができるストリップ、およびそのようなストリップから巻回されるパイプに加えることにある。
【課題を解決するための手段】
【００１３】
本発明の第１の態様によれば、流体輸送用ヘリカルパイプを形成する、巻回可能な複合ストリップが提供され、該複合ストリップは、
ベース部分を備えた細長いプラスチックストリップを有し、ベース部分は、内面を構成する下面および外面を構成する上面を備え、
ベース部分の外面から直立して縦方向に延びている少なくとも１つのリブ部分を有し、リブ部分は、ベース部分から離れている遠位端を備え、
ベース部分内またはベース部分に隣接して配置された細長いインボード補強部材と、
インボード補強部材と平行にリブ部分の遠位端内に配置された細長いアウトボード補強部材と、
インボード補強部材とアウトボード補強部材との間に延びている細長い中間プラスチックウェブ部分とを有し、ウェブ部分は、インボード補強部材およびアウトボード補強部材と一緒に複合リブ部分を形成し、
巻回してヘリカルパイプにしたときに、複合リブ部分が半径方向圧壊荷重に対してパイプを補強する。
【００１４】
好ましくは、アウトボード補強部材は、プラスチックストリップのヤング係数より大きいヤング係数を有する材料から構成され、インボード補強部材は、プラスチックストリップのヤング係数より大きいヤング係数を有する材料から構成されている。
【００１５】
好ましくは、インボード補強部材およびアウトボード補強部材は、完全に封入されている。
【００１６】
好ましくは、補強部材はストランデッドフィラメントまたは非ストランデッドフィラメントである。
【００１７】
好ましくは、補強部材はワイヤである。
【００１８】
好ましくは、複合ストリップは、ベース部分の外面から直立して縦方向に延びている複数の複合リブ部分を有している。
【００１９】
好ましくは、複合ストリップは、複合ストリップの両エッジに連結形態を有し、連結形態は、ストリップがヘリカル経路に巻回され且つストリップの隣接するエッジ部分が互いにオーバーラップするとき、噛み合うようになっている。
【００２０】
好ましくは、各複合リブ部分について、ストリップの内面から複合リブ部分の遠位端まで上方に向かって測定した距離は、ストリップの内面から連結形態の頂点まで上方に向かって測定した距離を超えない。
【００２１】
好ましくは、ストリップは、ベースに対して垂直にリブ部分を２等分する平面のそれぞれ第１側および第２側に横方向にオフセットして配置された、リブ部分の遠位端内に配置された第１および第２の細長いアウトボード補強部材を有している。
【００２２】
本発明の第２の態様によれば、流体輸送用ヘリカルパイプを形成する、巻回可能な複合ストリップが提供され、該複合ストリップは、
ベース部分を備えた細長いプラスチックストリップを有し、ベース部分は、内面を構成する下面および外面を構成する上面を備え、
ベース部分の外面から直立して縦方向に延びている少なくとも１つのリブ部分を有し、リブ部分は、ベース部分から離れている遠位端を備え、
ベース部分内またはベース部分に隣接して配置された細長いインボード補強部材と、
インボード補強部材と平行にリブ部分の遠位端内に配置され且つベースに対して垂直にリブ部分を２等分する平面のそれぞれ第１側および第２側に横方向にオフセットして配置された第１および第２の細長いアウトボード補強部材と、
インボード補強部材とアウトボード補強部材との間に延びている細長い中間プラスチックウェブ部分とを有し、ウェブ部分は、インボード補強部材およびアウトボード補強部材と一緒に複合リブ部分を形成し、
巻回してヘリカルパイプにしたときに、複合リブ部分が半径方向圧壊荷重に対してパイプを補強する。
【００２３】
好ましくは、アウトボード補強部材は、プラスチックストリップのヤング係数より大きいヤング係数を有する材料から構成され、インボード補強部材は、プラスチックストリップのヤング係数より大きいヤング係数を有する材料で構成されている。
【００２４】
好ましくは、インボード補強部材およびアウトボード補強部材は、完全に封入されている。
【００２５】
好ましくは、補強部材はストランデッドフィラメントまたは非ストランデッドフィラメントである。
【００２６】
好ましくは、補強部材はワイヤである。
【００２７】
好ましくは、複合ストリップは、ベース部分の外面から直立して縦方向に延びている複数の複合リブ部分を有している。
【００２８】
好ましくは、複合ストリップは、複合ストリップの両エッジに連結形態を有し、連結形態は、ストリップがヘリカル経路に巻回され且つストリップの隣接するエッジ部分が互いにオーバーラップするとき、噛み合うようになっている。
【００２９】
好ましくは、各複合リブ部分について、ストリップの内面から複合リブ部分の遠位端まで上方に向かって測定した距離は、ストリップの内面から連結形態の頂点まで上方に向かって測定した距離を超えない。
【００３０】
本発明の第３の態様によれば、ヘリカルに巻回された複合ストリップからなるパイプが提供され、該パイプは、
ベース部分を備えた細長いプラスチックストリップを有し、ベース部分は、内面を構成する下面および外面を構成する上面を備え、
ベース部分の外面から直立して縦方向に延びている少なくとも１つのリブ部分を有し、リブ部分は、ベース部分から離れている遠位端を備え、
ベース部分内またはベース部分に隣接して配置された細長いインボード補強部材と、
インボード補強部材と平行にリブ部分の遠位端内に配置された細長いアウトボード補強部材と、
インボード補強部材とアウトボード補強部材との間に延びている細長い中間プラスチックウェブ部分とを有し、ウェブ部分は、インボード補強部材およびアウトボード補強部材と一緒に複合リブ部分を形成し、
複合リブ部分は、半径方向圧壊荷重に対してパイプを補強する。
【００３１】
好ましくは、複合ストリップは、ベースに対して垂直にリブ部分を２等分する平面のそれぞれ第１側および第２側に横方向にオフセットして配置された、リブ部分の遠位端内に配置された第１および第２の細長いアウトボード補強部材を有している。
【００３２】
本発明の第４の態様によれば、パイプ製造方法が提供され、該パイプ製造方法は、
ａ）細長いプラスチックストリップを押出成形する段階を有し、ストリップはベース部分を有し、ベース部分は内面を構成する下面および外面を構成する上面を備え、ストリップは更に、ベース部分の外面から直立して縦方向に延びている少なくとも１つのリブ部分を有し、
ｂ）サブ組立複合ストリップを形成するために、少なくとも１つのリブ部分に隣接する位置に、下補強部材をストリップのベース部分内に導入する段階と、
ｃ）サブ組立複合ストリップを巻いてストリップのスプールにまたはヘリカルに巻回されたパイプにする段階と、
ｄ）組立てられた複合ストリップを形成するために、少なくとも１つのリブ部分の頂部内に上補強部材を導入する段階とを有し、
下補強部材を導入する段階は、押出成形段階中または後であるが巻回段階の前に行われ、上補強部材を導入する段階は、巻回段階中または後に行われる。
【００３３】
好ましくは、押出成形段階および導入段階ｂ）は、クロスヘッド押出成形ダイ内で一緒に行われる。
【００３４】
好ましくは、巻回段階ｃ）は、サブ組立複合ストリップを巻回してパイプにすることを含む。
【００３５】
好ましくは、導入段階ｄ）は、外側補強部材に張力を付与してパイプにプレストレスを付与することを含む。
【００３６】
好ましくは、少なくとも１つのリブの頂部内の上補強部材をシールする段階を更に有する。
【００３７】
本発明の第５の態様によればパイプ製造方法が提供され、該パイプ製造方法は、
ａ）細長いプラスチックストリップを押出成形する段階を有し、ストリップはベース部分を有し、ベース部分は内面を構成する下面および外面を構成する上面を備え、ストリップは更に、ベース部分の外面から直立して縦方向に延びている少なくとも１つのリブ部分を有し、リブ部分は、ベース部分から離れた遠位端を備え、
ｂ）サブ組立複合ストリップを形成するために、少なくとも１つのリブ部分に隣接する位置に、下補強部材をストリップのベース部分内に導入する段階と、
ｃ）ベースを横切る軸線の周りに複合ストリップを曲げる段階と、
ｄ）組立てられた複合ストリップを形成するために、少なくとも１つのリブ部分の遠位端内に上補強部材を導入する段階とを有し、
下補強部材を導入する段階は、押出成形段階中または後であるが曲げ段階の前に行われ、上補強部材を導入する段階は、曲げ段階中または後に行われる。
【００３８】
本発明の第６の態様によれば、パイプ製造方法が提供され、該パイプ製造方法は、
ａ）細長いプラスチックストリップを押出成形する段階を有し、ストリップはベース部分を有し、ベース部分は内面を構成する下面および外面を構成する上面を備え、ストリップは更に、ベース部分の外面から直立して縦方向に延びている少なくとも１つのリブ部分を有し、リブ部分は、ベース部分から離れた遠位端を備え、
ｂ）前記少なくとも１つのリブ部分に隣接する位置の前記ストリップのベース部分または前記少なくとも１つのリブ部分の遠位端のいずれか一方の中に、第１の補強部材を導入して、サブ組立複合ストリップを形成する段階と、
ｃ）ベースを横切る軸線の周りに複合ストリップを曲げる段階と、
ｄ）前記少なくとも１つのリブ部分に隣接する位置の前記ストリップのベース部分または前記少なくとも１つのリブ部分の遠位端の他方の中に、第２の補強部材を導入して、組立てられた複合ストリップを形成する段階とを有し、
第１の補強部材を導入する段階は、押出成形段階中または後に行われ、第２の補強部材を導入する段階は、曲げ段階中または後に行われる。
【００３９】
以下、添付図面を参照して、本発明の特定の実施形態をより詳細に説明する。これらの実施形態は単なる例示であって、本発明の範囲を限定することを意味するものではない。
【００４０】
本発明の実施形態は添付図面に示される。
【図面の簡単な説明】
【００４１】
【図１ａ】本発明の一実施形態による複合ストリップの断面図である。
【図１ｂ】ストリップの隣接する巻きを結合するための変形例のエッジ構成を示す、図１ａと同様の図面である。
【図２】本発明の変形実施形態を示す。
【図３ａ】図１ａの形状の等角図である。
【図３ｂ】図１ｂの形状の等角図である。
【図４】図１ｂの形状から巻回されたパイプの等角図である。
【図５】ベース補強部を備えたストリップの、本発明の更なる変形実施形態による複合ストリップの断面図である。
【図６】隣接する形状が連結しているところを示す図５と同様の図である。
【図７ａ】本発明の更なる実施形態による複合ストリップの断面図を示し、複合ストリップの複合リブ部分の拡大図を含む。
【図７ｂ】変形例の複合リブ部分２０を示す、図７ａの拡大図と同様の拡大図である。
【図７ｃ】更なる変形例の複合リブ部分を示す。
【図７ｄ】更なる変形例の複合リブ部分を示す。
【図７ｅ】更なる変形例の複合リブ部分を示す。
【図７ｆ】更なる変形例の複合リブ部分を示す。
【図７ｇ】更なる変形例の複合リブ部分を示す。
【図７ｈ】更なる変形例の複合リブ部分を示す。
【図８ａ】本発明の更なる態様によるパイプに巻回されている複合ストリップを示す概略等角図である。
【図８ｂ】本発明の更なる実施形態による複合ストリップの断面図を示し、複合ストリップは図７ａに示されるのと同じストリップである。
【図９】本発明の更なる実施形態による複合ストリップの２つの巻きを示す断面図である。
【図１０ａ】更なる変形例の複合リブ部分２０を示す、図７ａの拡大図と同様の拡大図である。
【図１０ｂ】更なる変形例の複合リブ部分２０を示す、図７ａの拡大図と同様の拡大図である。
【図１０ｃ】更なる変形例の複合リブ部分２０を示す、図７ａの拡大図と同様の拡大図である。
【図１０ｄ】更なる変形例の複合リブ部分２０を示す、図７ａの拡大図と同様の拡大図である。
【発明を実施するための形態】
【００４２】
図１ａを参照すると、ヘリカルパイプを形成する、巻回可能な細長い複合ストリップ１０が示されている。複合ストリップ１０は、細長いプラスチックストリップ１１と、中間プラスチックウェブ部分２３により分離されている、一対の平行に間隔を隔てた補強部材３０、４０とを有している。本発明のこの実施形態に使用されるプラスチックはポリ塩化ビニル（ＰＶＣ）であるが、ポリエチレンを含む他の適当なプラスチックを使用することもできる。
【００４３】
プラスチックストリップ１１は、実質的に平らな内面１４を備えたベース部分１２を有している。ベース部分１２からは、縦方向に延びている複数の複合リブ部分２０が上方に突出している。各リブ部分２０は、ベース部分から離れた遠位端２６を有している。本実施形態では、各複合リブ部分２０は、ベース部分１２内に配置されたインボード補強部材３０と、インボード補強部材３０と平行にリブ部分の遠位端内に配置されたアウトボード補強部材４０と、インボード補強部材３０とアウトボード補強部材４０との間に延びている中間プラスチックウェブ部分２３とを有している。
【００４４】
中間プラスチックウェブ部分２３は、インボード補強部材３０とアウトボード補強部材４０とを互いに隔てて保持している。この構成は、もしもこの構成が設けられていない場合に比べて、非常に効果的な補剛を生じるので、曲げにおいて特に重要である。例えば、形状を巻回してヘリカルパイプにするとき、インボード補強部材３０とアウトボード補強部材４０とが分離していることにより、半径方向に間隔を隔てていない同様の補強部材を有する同様のパイプに比べて、半径方向圧壊荷重に対してパイプが非常に強化される。
【００４５】
図１ａおよび図１ｂに示す補強部材３０、４０は、実質的に円形の断面を有している。これらの補強部材は、例えば、中実ワイヤまたはストランデッドワイヤであるのがよい。
【００４６】
図２には、本発明の変形実施形態が示されている。この実施形態では、補強部材３０および４０は実質的に矩形の断面形状を有している。図２の補強部材３０および４０は、鋼またはアルミニウムのストリップである。得られる複合リブ部分２０は、「Ｉ」ビームと同様な外観および機能を有する。これらの複合リブは、本件出願人による上記先願（特許文献３）に開示された複合リブに対して非常に有効な利点を提供する。
【００４７】
図１ａ、図１ｂおよび図２に示された複合リブ部分２０は、上記先願の複合リブより有効である。更に、別の方法で必要とされるであろう全高よりも著しく小さい、図２に両矢印ＲＨで示すリブ全高で、同等の剛性を得ることができる。これは多くの利点を有している。例えば、ホストパイプ内でパイプを巻回するパイプ修繕用途で、前述の出願の複合ストリップに比べて、図１ａ、図１ｂまたは図２の複合ストリップを使用して、新しい巻回パイプによって生じる内径を大きくすることができる。
【００４８】
図１ａおよび図１ｂの両方のアウトボード補強部材は、これらの対応するインボード補強部材の真上に横方向に置かれている。本発明の他の実施形態（例えば図９に示すような）では、インボード補強部材および／またはアウトボード補強部材は、多数の部材を有し、且つ（例えば）多数のアウトボード補強部材の中心は、その対応するインボード補強部材の真上に横方向に置かれる。インボード補強部材上で横方向にセンタリングする目的は、バランスされた荷重を与えること、および複合リブ部分が半径方向圧壊荷重下で、横向きに押潰される傾向を減じることである。
【００４９】
或る用途では、図２に示したリブ高さＲＨを、図２に両矢印ＪＨで示すエッジ結合機構の高さに合わせるのが有利である。
【００５０】
図１ａに示す形状では、インボード補強部材３０およびアウトボード補強部材４０の両方がプラスチックによって完全に包囲されている。これは、補強部材３０および４０が腐食を受ける材料（例えば鋼）で作られる場合に特に有利である。
【００５１】
図１ｂを参照すると、図１ａに示したものと同様の複合ストリップ１０が示される。図１ａのストリップ１０と図１ｂのストリップ１０との間の相違は、エッジ１６、１８の領域にある。図１ａのエッジ細部（edge details）は、巻回されるストリップの隣接する巻きの機械的結合を提供する。これに対し、図１ｂの形状のエッジは、ストリップの隣接する巻き間の溶接または溶着接合部を提供する。
【００５２】
図１ａに示す形状のエッジの溶着は、ＰＶＣパイプの接合に一般に使用されている溶剤接合により達成することができる。溶接および接着を含む他の接合手段が、ＰＶＣ、ポリエチレンおよび他の材料に適している。
【００５３】
インボード補強部材およびアウトボード補強部材には、種々の材料を使用できる。インボード補強部材およびアウトボード補強部材のいずれにも使用できる材料の例は、鋼、ステンレス鋼、アルミニウム、他の金属、天然繊維、ケブラー、合成繊維および高強度プラスチックである。例えば図７ｆに示すように、高強度ポリマーは、リブの頂部上に直接溶接できる。
【００５４】
或る用途では、補強部材にプレコートしておくのが有利である。例えば、複合ストリップのリブへの接合を補助するために、ワイヤにＰＶＣをコーティングするのがよい。或る用途でのワイヤは、腐食を防止するために例えば亜鉛めっきによってコーティングされる。補強部材のような或る用途では、内部繊維に損傷を与えることなく溶接できるポリエチレンコーティングされたナイロンも適している。
【００５５】
或る用途では、補強部材とこれを包囲するプラスチックストリップとの間の機械的な結合を補助するため、補強部材の表面を鋸歯状にするのが有利である。
【００５６】
補強部材は、有益な伸びまたは他の特性を付与するために、他の手段によって、捩り、編組し、ストランド化し、編みまたは予加工することができる。
【００５７】
補強部材は、補強部材とこれを包囲するストリップとの間の結合強度を改善するために予熱するのがよい。鋼を予熱することにより、押出成形されたプラスチックの急冷を減じ、その時点での材料の脆性が減少する。
【００５８】
或る用途でのアウトボード補強部材は、インボード補強部材とは異なるのがよい。例えば、或る負荷条件下では、アウトボード補強部材は引っ張りに強ければよく（すなわち高い引っ張りヤング係数を有する）、インボード補強部材は圧縮に強ければよい（すなわち高い圧縮ヤング係数を有する）。天然繊維は引っ張りには強いが圧縮には弱く、従って、外側の補強部材には適しているが、内側の補強部材には適していない。また或る用途では、アウトボード補強部材の方が腐食による劣化をより受け易いことがあり、このような環境下では、この部材はアルミニウムのような耐食性材料で形成するのがよい。
【００５９】
多くの地下用途では、補強部材は、ヘリカルに巻回されたパイプを形成する複合ストリップの各巻き内の引っ張りと圧縮との間で互い違いであるのがよい。
【００６０】
図１ａおよび図１ｂに示す本発明の実施形態では、ストリップの幅を横切るように間隔を隔てられている、縦方向に延びている７つのリブ部分２０のアレイが設けられている。本発明の他の実施形態では、７つより多数または少数のリブ部分２０を設けることができる。
【００６１】
図４を参照すると、図１ｂ、図２および図３に示された複合ストリップをヘリカルに巻回することにより製造されたヘリカル巻回複合パイプ７０が示されている。図１ｂおよび図４を比較すると、ベース部分１２の平らな面１４に対する補強部材３０、４０の向きは、パイプ７０を形成するためにストリップを巻回した後でも実質的に変化しないままである。中間プラスチックウェブ部分２３は、ストリップ１０の巻回中に、補強ストリップ２０および３０の支持を提供する。ヘリカルパイプを形成するためにストリップ１０を巻回する間、補強部材３０および４０は、ストリップ１０を実質的に横切る軸線の周りで曲げられる。
【００６２】
図１ａ、図１ｂ、図２ａおよび図２ｂに示すストリップ形状は、材料コストが最小になることを確実にするため、広範囲の用途に要求される性能基準を維持しながら、形状の大きさを最小に維持する。
【００６３】
図７ａは、図１ａに示したものと同様の本発明の更なる実施形態を示す。本発明のこの実施形態では、リブ２０が、簡単な平行壁を有するより簡単な形状になっており、インボード補強部材およびアウトボード補強部材の直径がより小さくなっている。多くの他の変更が可能であり、且つウェブ部分２３は、達成されることが要求される特定の設計パラメータに依存して異なる形状および厚さを有してもよいことが、理解されるべきである。図７ａに示す形状または複合ストリップは、クロスヘッド押出成形法により製造できる。
【００６４】
ここで図７ｂ、図７ｃおよび図７ｄを参照すると、リブ領域２０の変形の拡大図が示されている。例えば図７ｂでは、リブ部分の遠位端２６から延びている突出部２９ａおよび２９ｂの間に、上向きに開いた口が形成されている。突出部２９ａおよび２９ｂは、離れるように撓むことができ、ワイヤアウトボード補強部材４０を図７ｂに示す位置に据え付けることができる。次いで、例えば溶接法、溶剤溶着法または接着法により、突出部２９ａおよび２９ｂ間の口を閉じるために、ビード２８が形成される。
【００６５】
図７ｄでは、口が横向きに開いている。この場合にも、開いた口は、接着、溶着または溶接によりシールできる。
【００６６】
図７ｅはリブ部分２０の更なる変形を示し、インボード補強部材３０は、ベース１２の押出成形後に据え付けられる。
【００６７】
図７ｇおよび図７ｈには更なる変形が示されており、補強部材３０は、プラスチックストリップ１１の押出成形後に据え付けられ、補強部材３０は、プラスチックストリップ１１の下側または内側から据え付けられる。
【００６８】
図７ｆは複合リブ部分２０の更なる変形を示し、アウトボード補強部材４０は、複合リブ部分２０の遠位端２６上に溶接、接着または同時押出成形される高強度ポリマーである。
【００６９】
プラスチックストリップ１２、補強要素３０および４０、中間プラスチックリブ部分２３の寸法および形状は、巻回されるべきパイプの直径に適合するように変えることができる。例えば、図７ａに示すタイプの複合ストリップには、直径１．２５ｍｍのワイヤから作られた補強部材３０および４０を設けることができる。或る用途では、直径０．８ｍｍ以下のワイヤが適当であり、大径パイプに使用する複合ストリップには非常に太いワイヤ、直径数ミリメートルのワイヤを使用するのがよい。種々のグレードのワイヤを作ることができる。リブの高さは変えることができ、典型的には５−４０ｍｍの間であるのがよい（しかしながら、或る用途では、これより低いまたは高いリブ高さが適当である）。
【００７０】
ここで図９を参照すると、本発明の更なる実施形態が示されている。この実施形態では、第１および第２の細長いアウトボード補強部材４２および４４が、ベース１２に垂直なリブ部分２０を２等分するＰ−Ｐ平面のそれぞれ第１側および第２側に横方向にオフセットして位置決めされている。この配置で、複合リブ部分２０が安定化される。複合ストリップ１０が巻回されてパイプになるとき、またはベース部分１２の下のベース部分１２を横切る軸線の周りで曲げられるとき、複合リブ部分２０が一方側に横方向に曲げられるならば、反対側の補強部材の張力により複合リブ部分２０が真直ぐにされる傾向がある。
【００７１】
ここで図１０ａ、図１０ｂ、図１０ｃおよび図１０ｄを参照すると、複合リブ領域２０の更なる変形の拡大図が示されている。これらの更なる変形では、補強ストリップ１００が、複合ストリップ部分２３内に包含されている。補強ストリップ１００は、本件出願人による上述の先行特許出願（特許文献３）に記載されたタイプのものである。或る用途では、上記特許文献３に記載されているように、補強ストリップ１００のみを備えたヘリカルパイプを巻回し、続いて、図１０ａ、図１０ｂ、図１０ｃおよび図１０ｄのいずれか１つに示すようにインボード補強部材３０およびアウトボード補強部材４０を加えるのが好ましい。
【００７２】
上記説明から明らかなように、インボード補強部材がベース部分内またはこれに隣接して配置され且つアウトボード補強部材がリブ部分の遠位端内に配置され且つ中間プラスチックウェブ部分がインボード補強部材とアウトボード補強部材との間に延びている複合リブ部分を備えた複合ストリップを作るために、複合リブ部分２０を多くの方法で形成することができる。選択的に、ストリップ１００の形態の更なる補強部材を、複合リブ部分２３のプラスチックウェブ部分内またはこれに隣接して包含させることができる。
【００７３】
補強部材をプラスチックストリップ１１に据付けるあるいは結合する方法として、クロスヘッド押出成形、抵抗加熱を用いた溶接、レーザを用いた溶接、溶剤溶着、接着および／または機械的取付け（例えば、クリップ止め）があるが、これらに限定されるものではない。プラスチックストリップは、ＰＶＣまたはポリエチレン（例えば、高密度ポリエチレンを含む）から押出成形することができる。ＰＶＣを使用する場合、多くの用途での溶接には溶剤溶融が好ましい。
【００７４】
プラスチックストリップ１２への補強部材３０、４０の付加により、パイプの圧力定格の向上を助けることもできる。上述の複合ストリップには、巻回パイプの圧力定格を向上させるために、他の要素を更に組込むことができる。例えば、繊維織物（例えばガラス繊維）、プラスチックまたは鋼の薄層を設けて、パイプの圧力定格を向上させることができる。ストリップのプラスチック材料のヤング係数および強度を超えるヤング係数および強度を有するいかなる材料を使用することができる。薄層は、いかなる適当な方法で形状（ストリップ１２）内に組込むことができる。例えば、薄層を、図５および図６に示すように、ストリップのベース１２に溶接するか、あるいはストリップのベース１２内にクロスヘッド押出成形して、ストリップ１０を形成することができる。
【００７５】
パイプの圧力定格を高めるため、改善された噛み合いエッジ形態を設けることもできる。図５および図６には、高圧用途のために構成された形状の例が示されている。機械的ロックが、プラスチックストリップ１１から形成された雄形エッジ部材１６および雌形エッジ部材１８により提供される。この形状は、複合ストリップ１０が作られるときに、クロスヘッド押出成形され、補強部材３０および４０を封入し、前述のようにシーリングビードを付加する必要をなくす。薄層５０は、ストリップ１１のベース部分内に組込まれる。薄層５０は、ＰＶＣプラスチックストリップ１１よりも高いヤング係数および強度を有している。巻回してヘリカルパイプにしたとき、この形状は、圧力下の流体を運ぶのに適した高圧パイプを提供することができる。隣接する巻きは直接一体接合されないけれども、プラスチックの厚さおよび隣接エッジ１６および１８により形成される機械的ロックの設計により、パイプは大きい内部圧力に確実に耐えられる。
【００７６】
本発明の他の実施形態は、ストリップのベース１２に接合されるか、あるいはストリップのベース１２内に埋設される薄層を備えることができる。
【００７７】
方向性を有する材料を薄層として、あるいは薄層内に使用できる。例えば、長手方向に強く、横方向に弱い配向プラスチックフィルムストリップを使用できる。このようなストリップは、巻回パイプの「フープ」強度を向上できる。
【００７８】
横方向に強く、長手方向に弱いプラスチックフィルムストリップを使用することもできる。
【００７９】
或る用途では、直交方向に互いに強い２つ（またはそれ以上）のプラスチックフィルムストリップから薄層を形成し、これにより全方向に高強度な複合体を得ることが望ましい。
【００８０】
方向性を有する適当な材料の例として、高度に延伸されたポリオレフィンシートがある。このようなシートは、同じ方向に配向された分子の比率が高く、高いヤング係数および降伏強度を提供する。
【００８１】
本件出願人による上記特許文献３（名称「ヘリカルパイプを形成する、巻回可能な複合ストリップおよびその製造方法」）は、他の複合ストリップおよび複合パイプ形態およびパイプの製造方法を開示している。これらの形態および方法は本発明に使用でき、上記特許文献３の開示が全体として本願に援用される。
【００８２】
より一般的には、高いヤング係数（e modulus）をもつ短繊維（例えばガラス繊維）を種々の割合で形状全体にわたって分散させることにより性能を向上させることができる。そのような繊維を組込むことにより、複合ストリップの引っ張り強度を向上させ、そのようなストリップから巻回されたパイプの圧力定格を向上させることができる。
【００８３】
上述し且つ図示した種々の複合ストリップは、種々の方法で製造できる。より詳しくは、補強部材は、押出成形（クロスヘッド押出成形）中、押出成形後であるが、スプール上に複合ストリップを巻回する前、スプール加工中、パイプ巻回加工中、またはパイプ巻回加工後に加えることができる。
【００８４】
用途に依存して、パイプ巻回加工は、修繕すべきパイプ内で地下、建設現場の地上、またはパイプ製造工場で行うことができる。
【００８５】
図７ａから図７ｆより明らかなように、インボード補強部材およびアウトボード補強部材は、設置までおよび設置後を含む、製造加工時の種々の時点で、別々にまたは一緒に加えることができる。例えば、インボード補強部材は、押出成形段階でクロスヘッド押出成形法により加えることができ、アウトボード補強部材は、複合ストリップ１０を巻回してパイプ７０にする加工中または加工後に加えることができる。
【００８６】
ここで図８ａおよび図８ｂを参照すると、ワイヤの形態のアウトボード補強部材４０を、パイプの巻回加工中に複合ストリップ１０に加える方法が概略的に示されている。リブ部分２０の頂部に形成された溝またはスロット２７内にワイヤ４０を供給するために一対のワイヤスプール５０が設けられている。
【００８７】
或る用途では、ワイヤはスプーリング段階で加えるのが有利である。例えば、或る修繕プロジェクトでは、現場でのワイヤの付加は非常に困難なことがある。
【００８８】
ストリップが既に曲げられているとき、従って、より小さい応力がストリップに導入され、それは、最終的にはストリップの使用を制限するおそれがあり、あるいはスプールの内径サイズを大きくする必要があり、それによってスプールのキャパシティが小さくなる（これにより、運送コストが嵩む）ことを意味するが、或る用途ではスプーラでワイヤを付加することが、クロスヘッド押出成形によって簡単に付加するよりも良いことがある。
【００８９】
選択的に、ワイヤ４０に予張力を付与するため、テンショナ６０を設けることができる。これにより、外側補強部材（ワイヤ）４０が引っ張られ、内側補強部材が圧縮された状態にある、予張力が付与されたパイプ７０が得られる。
【００９０】
図８ｂに示すように、突出部２９ａおよび２９ｂは導入部（lead-in）を備えた形状にするのが有利である。この導入部は、突出部２９ａおよび２９ｂの可撓性と一緒に、ワイヤに張力が付与されたときにワイヤが所定位置にスナップ止めされるようにする。ひとたび溝２７内にしっかりと保持されたならば、ビードを付加して、補強部材を組み込みからシールするのがよい（これは、例えば鋼ワイヤの場合に望ましい）。
【００９１】
上述し且つ図８ａに示したように、パイプ巻回加工後または加工中にアウトボード補強部材を付加することにより、多くの著しい利点が得られる。パイプの巻回時点でいずれか一方または両方の補強部材が所定位置にないと、力は大幅に減じられる。これにより巻回加工が容易になる。更に、図８ａに示し且つ上述した方法によれば、パイプは既に形成されていて、従って、完成した複合ストリップが巻回可能であるように設計する必要がないので、非常に高い複合ストリップ強化パイプ剛性を達成できる。
【００９２】
スプーリングの前にいずれか一方または両方の補強部材が付加されないことにより、より小さい直径でスプーリングを開始できるので、１スプール当りのストリップ巻回の長さを増大できる。
【００９３】
或る用途では、複合ストリップ１０をスプーリングする中間工程なしに、複合ストリップの製造直後にパイプを巻回するのが有利である。上記本発明の種々の実施形態、特に、ストランデッドワイヤであるか非ストランデッドワイヤであるかを問わずワイヤを用いる実施形態では、連続パイプ製造方法を行うのがよりコスト効率がよい。これは、非常に長いワイヤが商業的に容易に入手でき、ワイヤ（補強部材）を結合する労力を要せずして連続方法で非常に長いパイプを製造できるからである。この連続方法は、ストリップ形態の補強部材を用いたパイプを巻回する方法（本件出願人による上記特許文献３に記載されているような）に比べて在庫の低減を含む、著しい付加的利益を提供する。
【００９４】
本発明の理解を容易にすべく、好ましい実施形態に関して本発明を説明したが、本発明の原理を逸脱することなく種々の変更をなし得ることを理解すべきである。従って、本発明は、その範囲内のこのようなあらゆる変更を含むことを理解すべきである。
【符号の説明】
【００９５】
１０  複合ストリップ
１１  プラスチックストリップ
１２  ベース部分
１６、１８  エッジ
２０  複合リブ部分
２３  プラスチックウェブ部分
２８  ビード
２９ａ、２９ｂ  突出部
３０、４０  補強部材
７０  パイプ
【図１ａ】
0004843715.tif 000002
【図１ｂ】
0004843715.tif 000003
【図２】
0004843715.tif 000004
【図３ａ】
0004843715.tif 000005
【図３ｂ】
0004843715.tif 000006
【図４】
0004843715.tif 000007
【図５】
0004843715.tif 000008
【図６】
0004843715.tif 000009
【図７ａ】
0004843715.tif 000010
【図７ｂ】
0004843715.tif 000011
【図７ｃ】
0004843715.tif 000012
【図７ｄ】
0004843715.tif 000013
【図７ｅ】
0004843715.tif 000014
【図７ｆ】
0004843715.tif 000015
【図７ｇ】
0004843715.tif 000016
【図７ｈ】
0004843715.tif 000017
【図８ａ】
0004843715.tif 000018
【図８ｂ】
0004843715.tif 000019
【図９】
0004843715.tif 000020
【図１０ａ】
0004843715.tif 000021
【図１０ｂ】
0004843715.tif 000022
【図１０ｃ】
0004843715.tif 000023
【図１０ｄ】
0004843715.tif 000024